(57)【要約】【課題】ビデオカメラ等のカメラを高い位置に持ち上げて撮影する際、撮影者の腕への負担を軽減させるカメラ保持具を提供する。【解決手段】カメラ保持具１００は、カメラ１１０を保持してカメラ使用者がカメラを保持する負担を軽減させるものであり、カメラ固定部１０と、アーム部２０とを備える。カメラ固定部１０は、カメラ１１０を固定するものである。アーム部２０は、カメラ固定部１０に連結され、曲げることにより変形させてその形状を維持させるものである。アーム部２０には、固定状態と、固定解除状態がある。アーム部２０が固定状態にある場合、曲げることにより変形させた形状を維持することができる。一方、アーム部２０が固定解除状態にある場合、アーム部２０を曲げることにより変形させることができる。固定状態と、固定解除状態の切り替えは、アームロックレバー２１により行う。【選択図】      図２
2013222070.tif 000002
【特許請求の範囲】
【請求項１】
カメラを固定するカメラ固定部と、
前記カメラ固定部に連結され、曲げることにより変形させてその形状を維持させるアーム部と
を備えたことを特徴とするカメラ保持具。
【請求項２】
前記アーム部は、
紐部材と、
前記紐部材の一端を固定する紐固定部材と、
前記紐部材の他端を引っ張ることにより前記紐部材を張った状態にするアームロック部と、
前記紐部材の周囲を覆う態様で前記紐部材に沿って順に重ねられた複数の円筒部材と
を備え、
前記紐部材を曲げることにより変形させて前記アームロック部により前記紐部材を張った状態にすると、隣り合う前記円筒部材は、その接続部分において接触して互いの動きを拘束し、前記紐部材の変形形状に沿った配置になることにより、前記紐部材の変形形状を維持させることを特徴とする請求項１に記載のカメラ保持具。
【請求項３】
前記複数の円筒部材は、一端が他端に挿入できる構造になっており、
その挿入により重なりあう部分が、前記接続部分であることを特徴とする請求項２に記載のカメラ保持具。
【請求項４】
前記複数の円筒部材は、一端がテーパー形状になっており、
そのテーパー形状部分が、隣り合う前記円筒部材の他端に挿入される態様で順に重ねられることを特徴とする請求項３に記載のカメラ保持具。
【請求項５】
前記アーム部は、
紐部材と、
前記紐部材の一端を固定する紐固定部材と、
前記紐部材の他端を引っ張ることにより前記紐部材を張った状態にするアームロック部と、
前記紐部材の周囲を覆う態様で前記紐部材に沿って順に重ねられた複数の円筒部材と
隣り合う前記円筒部材を接続するフレキシブルな接続部材と
を備え、
前記紐部材を曲げることにより変形させて前記アームロック部により前記紐部材を張った状態にすると、隣り合う前記円筒部材は、前記接続部材を介して互いの動きを拘束され、前記紐部材の変形形状に沿った配置になることにより、前記紐部材の変形形状を維持させることを特徴とする請求項１に記載のカメラ保持具。
【請求項６】
前記カメラ固定部は、
前記カメラを載せて固着させるカメラ固定部材と、
前記カメラ固定部材の底面に設けられたアームと、
前記アームの下端部を支点として全方位、又は所定方向へ可動可能な可動機構部と
を備えたことを特徴とする請求項１に記載のカメラ保持具。
【発明の詳細な説明】
【技術分野】
【０００１】
本発明は、カメラを保持するカメラ保持具に関し、特に、撮影者の腕の負担を軽減させるカメラ保持具に関する。
【背景技術】
【０００２】
ビデオカメラで撮影を行う場合、ビデオカメラを手で持って撮影することが通常であった。ビデオカメラで長時間の撮影を行う場合、腕にかかる負担が大きい。このようなことを解決するものとして、従来、ビデオカメラに取り付けた支持棒を、首から提げたベルト、および、胴体で支えることを特徴とするビデオカメラ用撮影補助器具が提案されている（例えば、特許文献１参照。）。
【先行技術文献】
【特許文献】
【０００３】
【特許文献１】特開２００４−１０２２０７号公報
【発明の概要】
【発明が解決しようとする課題】
【０００４】
しかしながら、子供の運動会などのような大勢の人々がいる場合のように、撮影対象とビデオカメラとの間に障害となるものがある場合、撮影に際して撮影者はビデオカメラを高い位置に持ち上げてその位置に維持させる必要がある。このような撮影態様において上記ビデオカメラ用撮影補助器具は、腕への負担を軽減させることができない。すなわち、上記ビデオカメラ用撮影補助器具は、撮影対象とビデオカメラとの間に障害となるものがない状況において、撮影者の負担を減らすことを想定したものであり、ビデオカメラを高い位置に持ち上げて使用する構造になっていない。
【０００５】
そこで、本発明は、ビデオカメラ等のカメラを高い位置に持ち上げて撮影する際、撮影者の腕への負担を軽減させるカメラ保持具を提供することを目的とする。
【課題を解決するための手段】
【０００６】
本発明は、上記課題を解決するためになされたものであり、本発明のカメラ保持具は、カメラを固定するカメラ固定部と、上記カメラ固定部に連結され、曲げることにより変形させてその形状を維持させるアーム部とを備えたことを特徴とする。これにより、アーム部の先端付近にカメラを固定させ、アーム部を変形させることによりその固定されたカメラを所望の向き、角度等に設定させることができる。そして、撮影者は、腕でカメラを高い位置に持ちあげなくても、カメラ保持具を用いればアーム部を持つことにより、カメラを高い位置に持ち上げることができる。
【０００７】
また、本発明のカメラ保持具において、上記アーム部は、紐部材と、上記紐部材の一端を固定する紐固定部材と、上記紐部材の他端を引っ張ることにより上記紐部材を張った状態にするアームロック部と、上記紐部材の周囲を覆う態様で上記紐部材に沿って順に重ねられた複数の円筒部材とを備え、上記紐部材を曲げることにより変形させて上記アームロック部により上記紐部材を張った状態にすると、隣り合う上記円筒部材は、その接続部分において接触して互いの動きを拘束し、上記紐部材の変形形状に沿った配置になることにより、上記紐部材の変形形状を維持させることを特徴とする。これにより、アーム部の形状維持状態は強固になるため、固定状態のアーム部に少々強い外力を加えても、アーム部を容易に変形させない。
【０００８】
また、本発明のカメラ保持具において、上記複数の円筒部材は、一端が他端に挿入できる構造になっており、その挿入により重なりあう部分が、上記接続部分であることを特徴とする。また、本発明のカメラ保持具において、上記複数の円筒部材は、一端がテーパー形状になっており、そのテーパー形状部分が、隣り合う上記円筒部材の他端に挿入される態様で順に重ねられることを特徴とする。これにより、隣り合う円筒部材が接触して互いに動きを拘束しやすくなる。
【０００９】
また、本発明のカメラ保持具において、上記アーム部は、紐部材と、上記紐部材の一端を固定する紐固定部材と、上記紐部材の他端を引っ張ることにより上記紐部材を張った状態にするアームロック部と、上記紐部材の周囲を覆う態様で上記紐部材に沿って順に重ねられた複数の円筒部材と隣り合う上記円筒部材を接続するフレキシブルな接続部材とを備え、上記紐部材を曲げることにより変形させて上記アームロック部により上記紐部材を張った状態にすると、隣り合う上記円筒部材は、上記接続部材を介して互いの動きを拘束され、上記紐部材の変形形状に沿った配置になることにより、上記紐部材の変形形状を維持させることを特徴とする。これにより、アーム部の形状維持状態は強固になるため、固定状態のアーム部に少々強い外力を加えても、アーム部を容易に変形させない。
【００１０】
また、本発明のカメラ保持具において、上記カメラ固定部は、上記カメラを載せて固着させるカメラ固定部材と、上記カメラ固定部材の底面に設けられたアームと、上記アームの下端部を支点として全方位、又は所定方向へ可動可能な可動機構部とを備えたことを特徴とする。これにより、カメラの角度、位置、向きの調整を容易にさせる。
【発明の効果】
【００１１】
本発明によれば、ビデオカメラ等のカメラを高い位置に持ち上げて撮影する際、撮影者の腕への負担を軽減させるという優れた効果を奏し得る。また、ビデオカメラ等のカメラの位置の調整を容易にすることができる。
【図面の簡単な説明】
【００１２】
【図１】本発明の実施の形態におけるカメラ保持具１００を示す図である。
【図２】本発明の実施の形態におけるカメラ保持具１００の使用例を示す図である。
【図３】本発明の実施の形態におけるカメラ保持具１００のアーム部２０の構成を示す図である。
【図４】被ロック部材２３１と、ロック部材２３２の構成の一例を示す図である。
【図５】アーム部２０を変形させて、アーム部２０を固定状態にした際の円筒部材２２０の様子を示す図である。
【発明を実施するための形態】
【００１３】
次に本発明の実施の形態について図面を参照して詳細に説明する。
【００１４】
図１は、本発明の実施の形態におけるカメラ保持具１００を示す図である。図１（ａ）は、カメラ保持具１００を変形させる前の図である。図１（ｂ）は、カメラ保持具１００を変形させた後の図である。
【００１５】
カメラ保持具１００は、カメラ１１０を保持してカメラ使用者がカメラ１１０を保持する負担を軽減させるものであり、カメラ固定部１０と、アーム部２０とを備える。なお、本発明においてカメラ１１０は、動画の撮影をメイン用途とするビデオカメラが想定されるが、これに限るものではなく、静止画の撮影をメイン用途とするデジタルカメラやその他のカメラも含むものである。
【００１６】
カメラ固定部１０は、カメラ１１０を固定するものである。具体的には、カメラ１１０のカメラ底部１１１をカメラ固定部材１１に載せて固着させる。そして、カメラ固定部材１１の底面には、例えばアーム１２の下部を支点として全方位（又は、左右方向に）に可動する可動機構部１３を設けてもよい。
【００１７】
図１（ｂ）に示すように、可動機構部１３においてアーム１２を所望の角度倒して固定する場合、まず、ロックネジ１４を緩めて、アーム１２を固定解除状態にし、アーム１２をフリーな状態にする。次に、フリーな状態のアーム１２を所望の角度倒し、ロックネジ１４を締めてアーム１２を固定状態にする。後述のアーム部２０でもカメラ１１０の位置の調整を行うことができるが、可動機構部１３を設けることにより、カメラ１１０の位置の調整をさらにきめ細やかに行うことができる。
【００１８】
アーム部２０は、カメラ固定部１０に連結され、曲げることにより変形させてその形状を維持させるものである。アーム部２０は、図１（ａ）及び図１（ｂ）に示すように、棒状の態様のものが一例として挙げられる。そして、アーム部２０は、曲げることにより変形させてその形状を維持させることができれば、どのような素材や機構であってもよく、そのようなものは全て本発明に含まれる。アーム部２０として、図１（ａ）及び図１（ｂ）に示すもののほかに、例えば、変形可能で、かつ所定の力以上の力を加えないとその変形しない機構を持った棒状部材（例えば、金属製フレキシブルホースの機構）や、複数の短い短棒状部材を棒状部材の長さ方向に順次接続し、その各々の接続部分が可動可能で、かつ固定もしくは形状維持可能な機構を持った棒状部材などが一例として挙げられる。
【００１９】
図１（ａ）及び図１（ｂ）に示すアーム部２０には、固定状態と、固定解除状態がある。アーム部２０が固定状態にある場合、曲げることにより変形させた形状を維持することができる。一方、アーム部２０が固定解除状態にある場合、アーム部２０を曲げることにより変形させることができる。
【００２０】
この２つの状態は、例えばアームロックレバー２１により切り替えるようにしてもよい。アーム部２０を固定解除状態にする場合、例えば、図１（ｂ）に示すようにアームロックレバー２１を下方に向かせる（図１（ｂ）のアームロックレバー２１点線参照）。また、アーム部２０を固定状態にする場合、例えば、アームロックレバー２１を下方から９０度回転させる（図１（ｂ）のアームロックレバー２１実線参照）。
【００２１】
以上のようなアーム部２０を変形させる場合の手順を以下に示す。アームロックレバー２１を操作して、アーム部２０を固定解除状態にする。次に、固定解除状態にあるアーム部２０を曲げて所望の形状に変形させる（例えば、図１（ａ）の状態から図１（ｂ）の状態に曲げて変形させる）。アーム部２０を所望の形状に変形させた後に、アームロックレバー２１を操作してアーム部２０を固定状態にする。これにより、アーム部２０は、上記所望の形状を維持した状態になる。
【００２２】
また、アーム部２０の下部に、長さが可変のアーム延長部２２を設けるようにしてもよい。アーム延長部２２は、例えば、円筒形状の棒２２ａの内部に、より径の小さい棒２２ｂを収めた態様が想定される。棒２２ｂは、例えば、図１（ｂ）に示すように、棒２２ａの内部から下方にスライドさせて引き出す機構が想定されるが、これに限るものではない。すなわち、本発明においてアーム延長部２２は、長さが可変となる全ての態様を含む。
【００２３】
また、カメラ保持具１００に、紐部３０を設けてもよい。紐部３０の一端は、例えば、図１（ａ）及び図１（ｂ）に示すように、アーム部２０の上端部付近に取り付け、紐部３０の他端は、アーム部２０の下端部付近に取り付けるようにすることが想定されるが、これに限るものではなく、その他の位置に取り付ける態様であってもよい。紐部３０は、撮影者の体に掛ける態様での使用が想定され、この態様を実現させる取り付け態様は全て本発明に含まれる。これにより、撮影者が誤ってアーム部２０を手放してしまっても、カメラ保持具１００が地面に落下することを防げる。
【００２４】
なお、紐部３０は取り外し可能な状態であってもよい。この場合、例えばアーム部２０の上端部及び下端部に被取付部２３を設け、紐部３０の両端に取付部３１を設けるようにする。なお、取付部３１及び被取付部２３の態様は、取り外し可能な態様で係合する態様であれば、どのような態様であってもよい。
【００２５】
また、アーム延長部２２（アーム延長部２２がない場合はアーム部２０）の下部に、固定部材４０を設けるようにしてもよい。固定部材４０は、カメラ保持具１００の使用者の体のいずれかに取り付けて、カメラ保持具１００の下部をカメラ保持具１００の使用者に固定するものである。固定部材４０として、例えばクリップのような弾性力によって挟み込む態様のものが想定されるが、これに限るものではない。すなわち、固定部材４０は、カメラ保持具１００の下部をカメラ保持具１００の使用者に固定できる態様であれば、どのような態様であってもよい。
【００２６】
図２は、本発明の実施の形態におけるカメラ保持具１００の使用例を示す図である。図２に示すように、カメラ保持具１００の使用者３００は、カメラ保持具１００のカメラ固定部１０にカメラ１１０を取り付けて固定する。そして、アーム延長部２２の下端に取り付けられた固定部材４０としてのクリップを服に取り付ける。また、カメラ保持具１００に取り付けられた紐部３０を使用者３００の首に掛ける。
【００２７】
固定部材４０としてのクリップと、紐部３０によりカメラ保持具１００を使用者３００に装着させた状態になる。これにより、使用者３００は、カメラ保持具１００のアーム部２０を把持する際に、片手でもよくなる。また、誤ってカメラ保持具１００が手から離れてしまっても、落下させずに済む。
【００２８】
次に、カメラ１１０を取り付けたカメラ保持具１００のアーム部２０を持って持ち上げ、アームロックレバー２１を操作してアーム部２０を固定解除状態にする。カメラ１１０のモニタ１２０を見ながら、使用者３００にとって都合のよい位置にカメラ１１０が位置するように、アーム部２０を曲げて変形させる。カメラ１１０の位置が決まったら、アームロックレバー２１を操作してアーム部２０を固定状態にする。また、場合によってはカメラ固定部１０における可動機構部１３のアーム１２を動かしてカメラ１１０を所望の角度に設定してもよい。
【００２９】
以上のようにして、カメラ１１０の位置が決まったら、カメラ保持具１００を用いて高い位置から撮影対象を容易に撮影することができる。これにより、撮影対象と使用者３００との間に大勢の人々がいても、高い位置から容易に撮影対象を撮影することができる。また、紐部３０を首に掛けているため、アーム部２０を図２のように両手で持つのではなく、片手で持つようにしてもよい。このようにすれば、腕にかかる負担がより一層軽減される。
【００３０】
図３は、本発明の実施の形態におけるカメラ保持具１００のアーム部２０の構成の一例を示す図である。アーム部２０は、紐部２１０と、複数の円筒部材２２０と、アームロック部２３０とを備える。
【００３１】
紐部２１０は、紐状の部材で、様々な形状に変形可能なものである。紐部２１０として、例えば、金属製のワイヤーが想定されるが、これに限るものではない。すなわち、本発明で紐部２１０は、紐状の部材で、様々な形状に変形可能なもの全てを含む。
【００３２】
紐部２１０の下端は、紐固定部材２１１において固定されている。紐固定部材２１１における紐部２１０の下端の固定態様は、如何なる態様であってもよい。紐部２１０の上端は、アームロック部２３０に取り付けられている。また、紐固定部材２１１には、アーム延長部２２を取り付けることができる。そして、アーム延長部２２の下端には、固定部材４０を取り付けることができる。
【００３３】
円筒部材２２０は、少なくとも一端（下端）がテーパー形状になった中空円筒形状の部材である。円筒部材２２０は、図３に示すように、テーパー形状部を隣り合う下方の円筒部材２２０の他端（上端）に挿入させる態様で順に重ねられる。このような態様で重ねられた複数の円筒部材２２０の中に紐部２１０が通される。なお、円筒部材２２０は、上記の説明のように一端（下端）が他端（上端）に挿入でき、後述するが、上記説明した固定状態にした場合、複数の円筒部材２２０が密接に接触して互いに動きを拘束することができる態様であればよく、その態様は上記テーパー形状に限定されるものではなく、その他の態様であってもよい。
【００３４】
アームロック部２３０は、紐部２１０を引っ張ることにより、紐部２１０を張った状態にして、アーム部２０を固定状態にするものである。すなわち、紐部２１０を張った状態にすると、複数の円筒部材２２０が密接に接触して互いに動きを拘束し、アーム部２０は固定状態になり、曲げることにより変形させた形状を維持することができる。一方、紐部２１０を引っ張らずに遊びを持たせた状態にすると、複数の円筒部材２２０は接触しても互いに動きを拘束しないため、アーム部２０は固定解除状態になり、曲げることにより自由に変形させることができる。これは、図１のアーム部２０の説明に対応するものである。
【００３５】
具体的には、アームロック部２３０は、例えば、被ロック部材２３１と、ロック部材２３２と、アームロックケース２３３とにより構成させることができる。被ロック部材２３１及びロック部材２３２によりロック機構が構成され、上記固定状態と、固定解除状態を実現させる。
【００３６】
図４は、被ロック部材２３１と、ロック部材２３２の構成の一例を示す図である。被ロック部材２３１及びロック部材２３２の一例として、図４（ａ）に示す態様が挙げられる。図３及び図４（ａ）においてロック部材２３２は、偏心カムを構成する偏心カム軸部材２３２ａにレバー２３２ｂを設けた態様になっている。偏心カム軸部材２３２ａは、レバー２３２ｂの回転中心から所定距離偏心させた位置に設けられている。偏心カム軸部材２３２ａは、アームロックケース２３３の孔２３３ａを通じてアームロックケース２３３内部に伸びる。
【００３７】
そして、被ロック部材２３１には、紐部２１０の上端が取り付けられている。また、被ロック部材２３１には、偏心カム軸部材２３２ａを通す孔２３１ａが設けられている。アームロックケース２３３の孔２３３ａを通じてアームロックケース２３３内部に伸びた偏心カム軸部材２３２ａは、被ロック部材２３１における孔２３１ａを貫通し、アームロックケース２３３外部に端部が出る。その端部を引き抜き防止の止め輪２３４にてロックする。
【００３８】
図４（ｂ）に示すような状態は、紐部２１０に遊びがある状態であり、アーム部２０は固定解除状態である。レバー２３２ｂを時計回りに回転させると、図４（ｃ）に示すように、偏心カム軸部材２３２ａにおけるカム部２３２ｃが被ロック部材２３１を押し上げて、それに伴い紐部２１０も上方へ引っ張られる。そして、レバー２３２ｂを時計回りに約９０度回転させると、図４（ｄ）に示すように、さらにカム部２３２ｃが被ロック部材２３１を押し上げて、ついには紐部２１０が張った状態になる。これにより、アーム部２０が固定状態になる。アーム部２０を再度固定解除状態にするには、レバー２３２ｂを反時計回りに約９０度回転させて、図４（ｂ）の状態にすればよい。
【００３９】
図５は、アーム部２０を変形させて、アーム部２０を固定状態にした際の円筒部材２２０の様子を示す図である。アーム部２０を変形させると、図５（ａ）の楕円領域Ａの拡大図に示すように、隣り合う円筒部材２２０同士がその接続部分において密接に接触し、互いの動きを拘束する。
【００４０】
すなわち、図５（ａ）に示すようにアーム部２０を変形させると、円筒部材２２０ａの下端部右側付近が円筒部材２２０ｂの上端部右側付近と接触する（領域Ｂ参照）。また、図５（ａ）に示すようにアーム部２０を変形させると、円筒部材２２０ｂの下端部右側付近が円筒部材２２０ｃの上端部右側付近と接触する（領域Ｃ参照）。また、図５（ａ）に示すようにアーム部２０を変形させると、円筒部材２２０ｃの下端部右側付近が円筒部材２２０ｄの上端部右側付近と接触する（領域Ｄ参照）。また、図５（ａ）に示すようにアーム部２０を変形させると、円筒部材２２０ｄの下端部右側付近が円筒部材２２０ｅの上端部右側付近と接触する（領域Ｅ参照）。また、図５（ａ）に示すようにアーム部２０を変形させると、円筒部材２２０ｅの下端部右側付近が円筒部材２２０ｆの上端部右側付近と接触する（領域Ｆ参照）。以上のように隣り合う円筒部材２２０同士が密接に接触し、その密接な接触により互いの動きを制限して拘束すると、円筒部材２２０ａ〜円筒部材２２０ｆは、紐部材２１０の変形形状に沿った配置になる。その結果、アーム部２０は変形状態を維持する。
【００４１】
アーム部２０を以上のような構造にすれば、アーム部２０の形状維持状態は強固になるため、固定状態のアーム部２０に少々強い外力を加えても、アーム部２０を容易に変形させない。すなわち、撮影者はカメラ保持具１００を少々乱暴に扱っても問題ない。
【００４２】
また、図５（ｂ）に示すように、隣り合う円筒部材２２０を接続部材（２２１ａ〜２２１ｅを参照）で接続させるようにしてもよい。この接続部材は、フレキシブルな態様のものが想定される。これは、紐部材２１０を変形させた際に、円筒部材２２０も紐部材２１０の変形形状に沿った配置にさせるためである。したがって、本発明においてフレキシブルとは、紐部材２１０を変形させた際に、複数の円筒部材２２０も紐部材２１０の変形形状に沿った配置になるように変形可能なことを指す。そして、それを実現する構造を持った接続部材は、紐部材２１０の変形形状に沿って変形する。
【００４３】
そして、紐部材２１０の変形形状に沿った配置になった複数の円筒部材２２０及び接続部材は、その形状を維持することが可能な構造になっている。形状を維持することが可能な構造として、例えば、フレキシブルであるが、所定の力以上の力を加えないとその変形しない機構を有する接続部材を用いた構造が想定されるが、これに限るものではない。なお、所定の力以上の力は、カメラ固定部１０にカメラを固定してアーム部２０を様々な形状に変形させた際にアーム部２０に加わる力を考慮して、アーム部２０を固定状態にした場合にアーム部２０が変形状態を維持できることを達成できる力とすることが想定される。また、図５（ａ）で説明したのと同様のことを接続部材を介して実現させてもよい。この場合、複数の円筒部材２２０は接続部材と密接に接触して互いの動きを拘束する。また、接続部材は、紐部材２１０の変形形状に沿って可動可能で、かつ固定もしくは形状維持可能な機構を持ったものであってもよい。
【００４４】
接続部材として、例えば上記説明した接続部材の特徴を有するフレキシブルホースが一例として挙げられる。上記フレキシブルホースを介して隣り合う円筒部材２２０を接続させる場合、円筒部材２２０の一端をテーパー形状にしてもしなくてもどちらでもよい。すなわち、円筒部材２２０の形状はどのような形状であってもよい。また、接続部材としてのフレキシブルホースは一例であって、その他のものであってもよい。すなわち、紐部材２１０の変形形状に対応してフレキシブルに変形可能な機構または態様であり、かつ所定の力以上の力を加えないとその変形しない特性を有するものであれば、どのような接続部材であってもよい。
【００４５】
図５（ｂ）に示すように、隣り合う円筒部材２２０を上記フレキシブルホースを介して接続させる場合も、図５（ａ）の場合の態様と同様に、隣り合う円筒部材２２０同士が接続部材により動きを制限され、動きを拘束される。すなわち、図５（ｂ）に示すようにアーム部２０を変形させると、その変形に沿ってフレキシブルホース２２１ａは変形し、円筒部材２２０ａ及び円筒部材２２０ｂは移動し、両者はフレキシブルホース２２１ａにより動きを制限され拘束される。また、図５（ｂ）に示すようにアーム部２０を変形させると、その変形に沿ってフレキシブルホース２２１ｂは変形し、円筒部材２２０ｂ及び円筒部材２２０ｃは移動し、両者はフレキシブルホース２２１ｂにより動きを制限され拘束される。また、図５（ｂ）に示すようにアーム部２０を変形させると、その変形に沿ってフレキシブルホース２２１ｃは変形し、円筒部材２２０ｃ及び円筒部材２２０ｄは移動し、両者はフレキシブルホース２２１ｃにより動きを制限され拘束される。また、図５（ｂ）に示すようにアーム部２０を変形させると、その変形に沿ってフレキシブルホース２２１ｄは変形し、円筒部材２２０ｄ及び円筒部材２２０ｅは移動し、両者はフレキシブルホース２２１ｄにより動きを制限され拘束される。また、図５（ｂ）に示すようにアーム部２０を変形させると、その変形に沿ってフレキシブルホース２２１ｅは変形し、円筒部材２２０ｅ及び円筒部材２２０ｆは移動し、両者はフレキシブルホース２２１ｅにより動きを制限され拘束される。
【００４６】
以上のように、アーム部２０を変形させると、フレキシブルホース２２１ａ〜フレキシブルホース２２１ｆが変形して、それに伴い円筒部材２２０ａ〜円筒部材２２０ｆが移動する。そして、紐部２１０をアームロック部２３０により固定状態にすることによりアーム部２０は変形状態を維持する。
【００４７】
このように、本発明の実施の形態におけるカメラ保持具１００によれば、撮影対象と使用者３００との間に大勢の人々がいても、高い位置から容易に撮影対象を撮影することができる。
【００４８】
なお、本発明の実施の形態は本発明を具現化するための一例を示したものであり、これに限定されるものではなく本発明の要旨を逸脱しない範囲において種々の変形を施すことができる。
【符号の説明】
【００４９】
１０  カメラ固定部
１１  カメラ固定部材
１２  アーム
１３  可動機構部
１４  ロックネジ
２０  アーム部
２１  アームロックレバー
２２  アーム延長部
３０  紐部
４０  固定部材
１００  カメラ保持具
１１０  カメラ
２１０  紐部
２１１  紐固定部材
２２０  円筒部材
２３０  アームロック部
２３１  被ロック部材
２３２  ロック部材
２３２ａ  偏心カム軸部材
２３２ｂ  レバー
２３２ｃ  カム部
２３３  アームロックケース
【図１】
2013222070.tif 000003
【図２】
2013222070.tif 000004
【図３】
2013222070.tif 000005
【図４】
2013222070.tif 000006
【図５】
2013222070.tif 000007